(57)【特許請求の範囲】
【請求項１】
手持ち式電気器具であって、
外側壁と、
主流体流路を規定する内側壁と、
ユーザ操作可能ボタンと、
スイッチ機構と、
スイッチ組立体と、
を備え、
前記スイッチ組立体は、前記主流体流路を塞がないよう前記外側壁と前記内側壁との間に収容され、フレーム、アクチュエータ、及び前記フレームに前記アクチュエータを接続する可撓性薄膜を備え、
前記アクチュエータは、前記スイッチ機構及び前記ユーザ操作可能ボタンの両方と協働する、電気器具。
【請求項２】
前記外側壁は、開口を備え、前記ユーザ操作可能ボタンは、前記開口を通って前記アクチュエータに係合する、請求項１に記載の電気器具。
【請求項３】
前記ユーザ操作可能ボタンは、前記アクチュエータによって前記可撓性薄膜から離間する、請求項１又は２に記載の電気器具。
【請求項４】
前記アクチュエータは、前記ユーザ操作可能ボタンから延びる対応する突起に係合する凹部を備える、請求項１から３のいずれかに記載の電気器具。
【請求項５】
前記アクチュエータは、前記スイッチ機構の作動ノブに係合する第２の凹部を備える、請求項１から４のいずれかに記載の電気器具。
【請求項６】
前記アクチュエータの内部で、前記第２の凹部は、前記凹部から離間する、請求項５に記載の電気器具。
【請求項７】
前記可撓性薄膜は、前記アクチュエータの全周の周りに延びる、請求項１から６のいずれかに記載の電気器具。
【請求項８】
前記スイッチ機構は摺動スイッチである、請求項１から７のいずれかに記載の電気器具。
【請求項９】
前記スイッチ機構は２つの位置を有し、前記アクチュエータは、前記スイッチ機構の前記作動ノブの位置にかかわらず、前記アクチュエータだけが、前記ユーザ操作可能ボタンがこれを通って前記アクチュエータに係合する前記外側壁の開口を通して見えるような大きさである、請求項８に記載の電気器具。
【請求項１０】
前記可撓性薄膜は、前記アクチュエータの周りに延びるベローズを含む、請求項８又は９に記載の電気器具。
【請求項１１】
前記スイッチ機構を収容する内側壁を備え、前記スイッチ組立体は、前記内側壁に接続する、請求項１から１０のいずれかに記載の電気器具。
【請求項１２】
前記フレームは一対の位置決めピンを備え、前記一対の位置決めピンは、前記内側壁の対応する凹部と協働して、前記内側壁に対して前記スイッチ組立体を位置決めする、請求項１１に記載の電気器具。
【請求項１３】
手持ち式電気器具であって、
外側壁と、
主流体流路を規定する内側壁と、
ユーザ操作可能ボタンと、
スイッチ機構と、
スイッチ組立体と、
を備え
前記スイッチ組立体は、前記主流体流路を塞がないよう前記外側壁と前記内側壁との間に収容され、フレーム、アクチュエータ、及び前記フレームに前記アクチュエータを接続する可撓性薄膜を備え、
前記アクチュエータは、前記スイッチ機構及び前記ユーザ操作可能ボタンの両方と協働し、
前記フレームは、前記内側壁の対応する凹部と協働して前記内側壁に対して前記スイッチ組立体を位置決めする、一対の位置決めピンを備える、電気器具。
【請求項１４】
前記内側壁は、前記スイッチ機構の作動ノブが通って突出する開口を備える、請求項１１から１３のいずれかに記載の電気器具。
【請求項１５】
前記可撓性薄膜は、前記アクチュエータを取り囲み、前記内側壁に対してシールを行う突起を備える、請求項１から１４のいずれかに記載の電気器具。
【請求項１６】
手持ち式電気器具であって、
外側壁と、
主流体流路を規定する内側壁と、
ユーザ操作可能ボタンと、
スイッチ機構と、
スイッチ組立体と、
を備え、
前記スイッチ組立体は、前記主流体流路を塞がないよう前記外側壁と前記内側壁との間に収容され、フレーム、アクチュエータ、及び前記フレームに前記アクチュエータを接続する可撓性薄膜を備え、
前記アクチュエータは、前記スイッチ機構及び前記ユーザ操作可能ボタンの両方と協働し、
前記可撓性薄膜は、前記アクチュエータを取り囲み、前記内側壁に対してシールを行う突起を備える、電気器具。
【請求項１７】
前記突起は、前記内側壁の長手方向軸に沿って延びる、請求項１５又は１６に記載の電気器具。
【請求項１８】
前記突起は、前記内側壁の長手方向軸に沿って前記アクチュエータの両側に延びる、請求項１４から１７のいずれかに記載の電気器具。
【請求項１９】
前記外側壁は管状である、請求項１から１８のいずれかに記載の電気器具。
【請求項２０】
前記外側壁は、単一ユニットとして形成される、請求項１９に記載の電気器具。
【請求項２１】
手持ち式電気器具であって、
外側壁と、
主流体流路を規定する内側壁と、
ユーザ操作可能ボタンと、
スイッチ機構と、
スイッチ組立体と、
を備え
前記スイッチ組立体は、前記主流体流路を塞がないよう前記外側壁と前記内側壁との間に収容され、フレーム、アクチュエータ、及び前記フレームに前記アクチュエータを接続する可撓性薄膜を備え、
前記アクチュエータは、前記スイッチ機構及び前記ユーザ操作可能ボタンの両方と協働し、
前記外側壁は、単一ユニットとして形成される、電気器具。
【請求項２２】
前記ユーザ操作可能ボタンは、前記外側壁の開口を通って前記アクチュエータに接続する、請求項１から２１のいずれかに記載の電気器具。
【請求項２３】
前記スイッチ組立体は、第２のスイッチを作動させるための第２のアクチュエータを含む、請求項１から２２のいずれかに記載の電気器具。
【請求項２４】
前記外側壁は、第２の開口と、該第２の開口を通って前記第２のアクチュエータに係合する第２のユーザ操作可能ボタンとを含む、請求項２３に記載の電気器具。
【請求項２５】
前記電気器具は、ヘアケア電気器具である、請求項１から２４のいずれかに記載の電気器具。
【請求項２６】
前記ヘアケア電気器具は、ヘアドライヤである、請求項２５に記載の電気器具。
【請求項２７】
手持ち式電気器具であって、
外側壁と、
ユーザ操作可能ボタンと、
スイッチ機構と、
スイッチ組立体と、
を備え
前記スイッチ組立体は、前記外側壁内に収容され、フレーム、アクチュエータ、及び前記フレームに前記アクチュエータを接続する可撓性薄膜を備え、
前記アクチュエータは、前記スイッチ機構及び前記ユーザ操作可能ボタンの両方と協働し、
前記外側壁は、単一ユニットとして形成されている、電気器具。
【請求項２８】
手持ち式電気器具であって、
外側壁と、
ユーザ操作可能ボタンと、
スイッチ機構と、
スイッチ組立体と、
を備え
前記スイッチ組立体は、前記外側壁内に収容され、フレーム、アクチュエータ、及び前記フレームに前記アクチュエータを接続する可撓性薄膜を備え、
前記スイッチ組立体は、第２のスイッチを作動させるための第２のアクチュエータを含む、電気器具。
【発明の詳細な説明】
【技術分野】
【０００１】
本発明は、手持ち式電気器具、特にヘアケア電気器具に関する。
【背景技術】
【０００２】
一般に、本体に流体を引き込むモータ及びファンを備え、流体が、本体を出る前に加熱することができる。モータは、汚れ又は毛髪のような異物の影響を受けて損傷し易いので、従来から、ブロワへの流体入口にフィルタが設けられている。ファン及びヒータは、機能するための動力を必要とし、動力は主電源ケーブル又は電気器具に取り付けられたバッテリのいずれか一方からの内部配線で供給される。
【発明の概要】
【発明が解決しようとする課題】
【０００３】
従来、ヘアドライヤは、本体及びハンドルを有し、本体内には流体流路が設けられ、ハンドル内に制御電子機器が設けられる。ヘアドライヤは濡れた髪を乾かすために使用され、制御装置の周りに何らかのシールを設けて、この制御装置の機能に影響を与える場合がある水、ヘア製品。又は汚れの進入を防ぐことが望ましい。
【課題を解決するための手段】
【０００４】
本発明は、手持ち式電気器具を提供し、電気器具は、外側壁と、ユーザ操作可能ボタンと、スイッチ機構と、スイッチ組立体とを備え、スイッチ組立体は、外側壁の内部に収容され、フレーム、アクチュエータ、及びフレームにアクチュエータを接続する可撓性薄膜を備え、アクチュエータは、スイッチ機構及びユーザ操作可能ボタンの両方と協働する。
【０００５】
本発明の利点は、ボタンを移動させてスイッチ機構の状態を変更可能にする可撓性薄膜が、外側面上に露出するのではなく、電気器具の内部に位置する点である。これにより薄膜は、水、ヘア製品、又は汚れが進入して電気器具の機能に影響を及ぼす可能性がある、損傷から保護される。
【０００６】
外側壁は開口を備え、ユーザ操作可能ボタンは、開口を通ってアクチュエータに係合することが好ましい。
【０００７】
好ましい実施形態では、ユーザ操作可能ボタンは、アクチュエータによって可撓性薄膜から離間する。従って、ユーザ操作可能ボタンは、可撓性薄膜に直接係合しない。
【０００８】
アクチュエータは、ユーザ操作可能ボタンから延びた対応する突起に係合する凹部を備えることが好ましい。これによりユーザ操作可能ボタンは、例えば接着剤によってアクチュエータに取り付けることができる。
【０００９】
好ましい実施形態では、アクチュエータは、スイッチ機構の作動ノブに係合する第２の凹部を備える。
【００１０】
アクチュエータの内部において、第２の凹部は、凹部に対して離間することが好ましい。
【００１１】
可撓性薄膜は、アクチュエータの全周囲の周りに延びることが好ましい。
【００１２】
スイッチ機構は、摺動スイッチであることが好ましい。
【００１３】
スイッチ機構は２つの位置を有し、アクチュエータは、スイッチ機構の作動ノブの位置にかかわらず、アクチュエータだけが、ユーザ操作可能ボタンがこれを通ってアクチュエータに係合する外側壁の開口を通して見えるような大きさとすることが好ましい。これにより可撓性薄膜は、内部構成部品となり、アクチュエータ及び取り囲む外側壁による損傷から保護されることが保証される。
【００１４】
好ましい実施形態では、可撓性薄膜は、アクチュエータの周りに延びるベローズを含む。
【００１５】
電気器具はスイッチ機構を収容する内側壁を備え、スイッチ組立体は内側壁に接続することが好ましい。
【００１６】
好ましい実施形態では、フレームは一対の位置決めピンを備え、位置決めピンは、内側壁の対応する凹部と協働して、内側壁に対してスイッチ組立体を位置決めする。
【００１７】
内側壁は、スイッチ機構の作動ノブが通って突出する開口を備えることが好ましい。
【００１８】
可撓性薄膜は、アクチュエータを取り囲み、内側壁に対してシールを行う突起を備えることが好ましい。突起は、内側壁の長手方向軸線に沿って延びることが好ましい。好ましい実施形態では、突起は、内側壁の長手方向軸線に沿ってアクチュエータの両側に延びる。
【００１９】
好ましい実施形態では、外側壁は管状である、外側壁は、単一ユニットとして形成することが好ましい。
【００２０】
好ましい実施形態では、ユーザ操作可能ボタンは、外側壁の開口を通ってアクチュエータに接続する。
【００２１】
スイッチ組立体は、第２のスイッチを作動させるために第２のアクチュエータを含むことが好ましい。好ましい実施形態では、外側壁は、第２の開口と、第２の開口を通って第２のアクチュエータに係合する第２のユーザ操作可能ボタンとを含む。
【００２２】
電気器具は、ヘアケア電気器具であることが好ましい。
【００２３】
ヘアケア電気器具は、ヘアドライヤであることが好ましい。もしくは、ヘアケア電気器具は、加熱式整髪用電気器具である。
【００２４】
本発明は、以下に添付図面を参照して例示的に説明される。
【図面の簡単な説明】
【００２５】
【図１】本発明によるヘアドライヤを示す。
【図２】図１のヘアドライヤの断面を示す。
【図３】図１のヘアドライヤの別の断面を示す。
【図４】ヘアドライヤの一部の内部構成部品の分解組立図である。
【図５】本発明によるスイッチ組立体の等角図を示す。
【図６】図５のスイッチ組立体の分解組立図を示す。
【図７】図２に示した断面の拡大図を示す。
【図８】本発明によるスイッチ組立体の断面を示す。
【図９】図１に示したヘアドライヤのハンドルの別の断面を示す。
【図１０】図５のスイッチ組立体の半径方向内側面を示す。
【発明を実施するための形態】
【００２６】
図１、図２及び図３は、ハンドル２０及び本体３０を備えるヘアドライヤ１０を示す。ハンドルは、本体３０に接続された第１の端部２２と、本体３０から遠位にあって主流体入口４０を含む第２の端部２４とを有する。ヘアドライヤ１０にはケーブル５０を介して動力が供給される。ヘアドライヤ１０からのケーブル５０の遠位端には、例えば主電源又はバッテリへ電気接続を可能にするプラグ（図示しない）が設けられている。
【００２７】
ハンドル２０は、本体３０からハンドルの遠位端２４まで延びる外側壁２００を有する。ハンドルの遠位端２４では、端壁２１０が外側壁２００を横切って延びる。ケーブル５０は、この端壁２１０を貫通してヘアドライヤに入る。ハンドル２０の主流体入口４０は、ハンドルの外側壁２００の周りでこれに沿って延びる第１の開口４２と、ハンドル２０の端壁２１０を横切りこれを貫通して延びる第２の開口４６とを含む。ケーブル５０は、端壁２１０のほぼ中央部に位置し、ハンドル２０の中心から延びる。ハンドル２０は長手方向軸Ｘ−Ｘを有し、外側壁２００は、長手方向軸Ｘ−Ｘに沿って本体３０から遠位端２４に向かって延びる。
【００２８】
主流体入口４０の下流には、ファンユニット７０が設けられる。ファンユニット７０はファン及びモータを含む。ファンユニット７０は、流体を、主流体入口４０から引き込み、主流体流路４００を通って本体３０に向かわせるが、主流体流路４００は、主流体入口４０から本体３０まで延び、これはハンドル２０と本体とが結合する箇所である。本体３０は、第１の端部３２及び第２の端部３４を有し、主流体流路４００は、本体３０を通って本体の第２の端部３４に向かって、ヒータ８０の周り及び主流体出口４４０へと続き、ファンユニットによって引き込まれた流体は、主流体出口４４０から主流体流路４００を出る。主流体流路４００は、非直線状であり、ハンドル２０を第１の方向に通過し、本体３０を第１方向と直交する第２の方向に通過する。
【００２９】
本体３０は、外側壁３６０及び内側ダクト３１０を含む。主流体流路４００は、本体に沿って、ハンドル２０及び本体３０の結合部９０から、外側壁３６０と内側ダクト３１０との間を、本体３０の第２の端部３４の主流体出口４４０に向かって延びる。
【００３０】
本体３０の内部には別の流体流路３００が設けられ、この流体流は、ファンユニット７０又はヒータ８０によって直接処理されず、ファンユニットの作用によってヘアドライヤ１０に引き込まれ、ヘアドライヤを通る主流れを生成する。この流体流は、主流体流路４００を通過する流体によってヘアドライヤへ取り込まれる。
【００３１】
本体の第１の端部３２は流体入口３２０を含み、本体の第２の端部３４は流体出口３４０を含む。流体入口３２０及び流体出口３４０は、両方とも内側ダクト３１０によって少なくとも部分的に形成され、内側ダクト３１０は、本体３０の内側壁であり、本体の内部でこれに沿って延びる。流体流路３００は、内側ダクト３１０内を流体入口３２０から流体出口３４まで延びる。本体３０の第１の端部３２において、側壁３５０が外側壁３６０と内側ダクト３１０との間に延びる。この側壁３５０は、少なくとも部分的に流体入口３２０を定める。主流体出口４４０は、環状であり流体流路３００を取り囲む。
【００３２】
ヘアドライヤ用の制御電子回路を含むＰＣＢ７５は、側壁３５０及び流体入口３２０の近くで本体３０内に配置される。ＰＣＢ７５は、リング形状であり、内側ダクト３１０の周りで内側ダクト３１０と外側壁３６０との間で延びる。ＰＣＢ７５は、流体流路３００の周りに延び、内側ダクト３１０によって流体流路３００から隔離される。
【００３３】
ＰＣＢ７５は、ヒータ８０の温度及びファンユニット７０の回転速度といったパラメータを制御する。内部配線（図示しない）は、ＰＣＢ７５をヒータ８０及びファンユニット７０及びケーブル５０へ電気的に接続する。内部配線は、ケーブルからスイッチ機構に向かって延びる活線１１２及び中性線１２２を構成する。制御ボタン６２及び６４はＰＣＢ７５に接続され、ユーザは、例えば様々な温度設定値及び流量を選択することができる。制御ボタン６２は一対のボタンを備える。第１のボタン６２ａは、製品のオン／オフを切り替え、第２のボタン６２ｂは、第２の機能、この場合はクールショット機能を可能にする。
【００３４】
使用時、流体は、ファンユニット７０の作用によって主流体流路４００に引き込まれ、随意的にヒータ８０によって加熱され、主流体出口４４０から流出する。この処理された流れにより、流体は、流体入口３２０において流体流路３００に取り込まれる。流体は、本体の第２の端部３４において処理された流れと合流する。図３に示す実施例において、処理された流れは、環状流として主流体出口４４０及びヘアドライヤから流出し、環状流は、流体出口３４０を通ってヘアドライヤから流出する同伴流を取り囲む。こうして、ファンユニット及びヒータによって処理された流体は、同伴流によって増強される。
【００３５】
以下、特に図４から図１０を参照して本発明を説明する。スイッチ組立体１５０は、フレーム１６０、可撓性薄膜１７０、及びアクチュエータ１８０を含む。フレーム１６０は、スイッチ組立体１５０のための支持体を提供する。アクチュエータ１８０は、ユーザ操作可能ボタン６２ａのための支持体を提供する。可撓性薄膜１７０は、アクチュエータ１８０をフレーム１６０に接続し、ユーザ操作ボタン６２ａによってアクチュエータ１８０が移動することを可能にすると共にアクチュエータ１８０とフレーム１６０との間にシールを提供する。
【００３６】
スイッチ組立体１５０は、ヘアドライヤ１０のハンドル２０内部に配置される。便宜上、スイッチ組立体１５０は、一対の位置決めピン１５２によってハンドル２０の内側壁２２０に接続される。内側壁２２０は開口２２６を含み、スイッチ組立体１５０を内側壁２２０に接続した場合、スイッチ組立体１５０は、開口２２６を通ってスイッチ機構１００に係合することができる。
【００３７】
種々の部品は、例えば接着剤を用いて、一緒に機械的に固定することによって保持できるが、本実施形態では、スイッチカバー１１０を使用してスイッチ機構１５０を収容して内側壁２２０に対して保持するようになっている。
【００３８】
スイッチ組立体１５０に関して、位置決めピン１５２は、スイッチ組立体１５０を内側壁２００に対して保持し、次に、Ｏリング２６０は凹部２６２に配置され、外側壁２００は、外側壁２００を内側壁２２０に沿って摺動させることによって、内側壁２２０上に配置される。外側壁２００は、ボタン６２ａが貫通してスイッチ１００と協働する開口２０２を備える。外側壁２００が正確に位置決めされた状態で、ユーザ操作可能ボタン６２ａは、開口２０２を通ってアクチュエータ１８０に取り付けられる。
【００３９】
本実施形態では、スイッチ機構１００は、作動ノブ１０２を備えた摺動スイッチである。作動ノブ１０２とアクチュエータ１８０とのスライド動作に対応するために、可撓性薄膜は、アクチュエータの周りに延びるベローズ１７２を備える。
【００４０】
アクチュエータ１８０は、半径方向外側部又は外側面１８０ａに外側壁２００に隣接する凹部１８６を備える。この凹部１８６は、ユーザ操作可能ボタン６２ａから延びる突起６６と協働する。
【００４１】
可撓性薄膜１７０は、シールリップ１７４（図９及び１０）を備える。このシールリップ１７４は、スイッチ組立体の半径方向内側面１５０ａから半径方向内向きに延びる。シールリップ１７４は、ハンドル２０の長手方向軸Ｘ−Ｘに沿って延びて、アクチュエータ１８０及び第２のアクチュエータ１９０の両者の周りをシールする。シールリップ１７４は、アクチュエータ１８０及び第２のアクチュエータ１９０の全周に延びてカプセル化することもできる。従って、ユーザ操作可能ボタン６２ａ、６２ｂと、それぞれのアクチュエータ１８０及び１９０との間を通過するあらゆる流体又は汚れは、流体流路４００に入るために、内側壁２２０とスイッチ組立体１５０との間から、リップシール１７４を通り、次に内側壁２２０とスイッチカバー１１０との間の入り組んだ経路を辿る。
【００４２】
アクチュエータ１８０は、ユーザ操作可能ボタン６２ａの移動をスイッチ機構１００、特にスイッチ機構１００の作動ノブ１０２に伝達する手段を提供する。本実施形態では、この伝達は、対応する２組の突起及び凹部によってもたらされる。スイッチ機構１００が突出した作動ノブ１０２を備える場合、アクチュエータは、部品の組み立て時に作動ノブ１０２を収容するようになった対応する凹部１８２を備える。この対応する凹部１８２は、組み立て時、アクチュエータ１８０の半径方向内側に配置される。
【００４３】
アクチュエータ１８０の厚さを最小限にするが、ユーザが操作するボタン６２ａの十分な強度を維持するために、対応する凹部１８２及び凹部１８６は離間している。凹部１８６と対応する凹部１８２とは、アクチュエータ１８０内で長手方向にオフセットしている。本実施形態では、ヘアドライヤをスイッチオンするためにボタン６２ａはヘアドライヤ１０の本体１２に向かって押し込まれるので、対応する凹部１８２は、凹部１８６よりも本体１２の近くに配置される。可撓性薄膜は、アクチュエータの外周の周りに延び、ユーザ操作可能ボタン６２ａの摺動動作を助長する。
【００４４】
ユーザ操作可能ボタン６２ａは、アクチュエータ１８０によって可撓性薄膜１７０から間隔を置いて配置される。このことはユーザが可撓性薄膜１７０に直接関与しないことを意味し、これは経時的に損傷又は摩耗を引き起こす場合がある。アクチュエータは、ユーザ操作可能ボタン６２ａの位置にかかわらず、アクチュエータだけが外側壁２００の開口２０２を通して見えるような十分な大きさである。このことは多くの利点がもたらし、この利点としては、開口２０２を囲むアクチュエータ１８０の比較的硬質の表面が常に存在するので、ユーザ操作可能ボタンの位置にかかわらずユーザへのフィードバックが一貫していること、スイッチ機構１００等の係合部品に対するアクチュエータの位置が外側壁２００によって維持されること、及び可撓性薄膜１７０が開口２０２から露出する場合に比較して異物の進入がより制限されることを挙げることができる。
【００４５】
外側壁２２０は、管状であり、単一のユニットとして成形される。これにより、流体が流体流路から漏れる可能性、又は異物及び流体が取り込まれる可能性のある箇所の数が制限される。
【００４６】
スイッチ組立体１５０は、可撓性薄膜１７０で取り囲まれた第２のアクチュエータ１９０をさらに含む。第２のアクチュエータ１９０は、この場合はクールショットボタン６２ｂである第２のボタンに接続され、作動するとヒータへの電力を制限又は遮断してヘアドライヤから冷気がもたらされる。外側壁２００は第２の開口２０４を備え、クールショットボタン６２ｂは、第２の開口２０４を通って第２のアクチュエータ１９０に係合する。クールショットボタン６２ｂが作動すると、アクチュエータ１９０は、ＰＣＢ延長部１２０に収容された電子スイッチ１２６に係合する。このＰＣＢ延長部１２０は、ＰＣＢ７５に電気的に接続され、電子スイッチ１２６の作動及び非作動に関連する制御ソフトウェアに信号を供給する。同様に、このクールショットボタン６２ｂは、外側壁２００を内側壁２２０上に取り付けた後に、第２の開口２０４を通って第２のアクチュエータ１９０に取り付けられる。
【００４７】
２つのユーザ操作可能ボタンを有するスイッチ組立体を説明したが、本発明はこれに限定されず、ユーザ操作可能ボタンの位置付けに応じて、電気器具に２以上のスイッチ組立体を設けることができる。
【００４８】
ユーザ操作可能ボタンは、摺動部品及び押しボタンとして説明したが、使用する電気器具に適した任意のタイプとすることができ、この代替案は、当業者には明らかである。
【００４９】
外側壁２００は、必ずしも電気器具のハンドルの一部を形成する必要はなく、平坦な又は湾曲した表面を備えることができる。
【００５０】
本発明は、ヘアドライヤに関連して詳細に説明されるが、本発明は、流体を引き込み、その流体の流出物を電気器具から送り出す何らかの電気器具に適用することができる。
【００５１】
電気器具は、ヒータと共に又はヒータ無しで使用することができ、流体流出物の高速での動きは乾燥作用をもたらす。
【００５２】
電気器具を通過する流体は、一般に空気であるが、１又は複数の気体の異なる組み合わせとすることができ、更に、電気器具の性能を改善する、又は例えば毛髪及びその毛髪の整髪である対象に電気器具が送り出す流出物が与える影響を改善する付加物を含むことができる。
【００５３】
本発明は前述した詳細な説明に限定されない。当業者には種々の変形例が明らかである。
【符号の説明】
【００５４】
１０  手持ち式電気器具
２０  ハンドル
３０  本体
６２ａ、６３ｂ  制御ボタン
６６  突起
１００  スイッチ機構
１０２  作動ノブ
１５０  スイッチ組立体
１６０  フレーム
１７０  可撓性薄膜
１８０、１９０  アクチュエータ
１８２、１８６  凹部
２００  外側壁
【図１】
0006434452.tif 000002
【図２】
0006434452.tif 000003
【図３】
0006434452.tif 000004
【図４】
0006434452.tif 000005
【図５】
0006434452.tif 000006
【図６】
0006434452.tif 000007
【図７】
0006434452.tif 000008
【図８】
0006434452.tif 000009
【図９】
0006434452.tif 000010
【図１０】
0006434452.tif 000011